(57)【特許請求の範囲】
【請求項１】
カラー映像信号を色分解して赤、緑、青の原色画像に対応した各映像信号を順次発生する映像信号発生手段と、
前記映像信号発生手段からの各映像信号の輝度情報に基づき、前記原色画像に対応した画像を順次表示する画像表示手段と、
前記画像表示手段に表示される各画像に対応した色のフィルタを、各画像の表示切り替えタイミングと同期させて前記画像表示手段の前方に進入せしめるカラーフィルタ手段と、
前記画像表示手段からの各画像を銀塩フイルム面に結像させる撮影レンズ手段と、
前記画像表示手段からの画像情報が前記所定の色のフィルタを介して重ね合わせ露光される銀塩フイルムを、所定位置に配設するフイルム配設手段と、
を共通光軸上に配置し、
さらに前記共通光軸上に配置された前記各手段の所定動作を制御する制御手段を備えたハードコピー装置において、
前記銀塩フイルム面にて反射した、前記画像表示手段からの画像情報を担持した光の量を測定する測光手段を設け、
さらに前記制御手段は、前記測光手段により測定された光量より、前記銀塩フイルムを照射する前記画像表示手段からの各画像情報を担持した光の量を求め、
該求めた光量に基づき、前記銀塩フイルム面を照射する各画像情報を担持した光の前記画像表示手段による表示繰り返し数を、前記銀塩フイルムの露光量が適正値となるように算出し、
該算出した表示繰り返し数だけ前記画像情報を担持した光の前記銀塩フイルムへの照射を許容することを特徴とするハードコピー装置。
【請求項２】
請求項１記載のハードコピー装置において、前記制御手段は、前記測光手段により測定された光量より算出した、前記銀塩フイルムを照射する前記画像表示手段からの各画像情報を担持した光の量に加え、前記撮影レンズの明るさ情報と、前記銀塩フイルムの感度情報のうち、少なくとも何れかに基づき、銀塩フイルム面を照射する各画像情報を担持した光の繰り返し数を、前記銀塩フイルムを露光する各画像を担持した光の量が適正値となるように算出することを特徴とするハードコピー装置。
【発明の詳細な説明】
【０００１】
【発明の属する技術分野】
本発明はハードコピー装置、特に画像表示手段に表示された静止画像を銀塩フイルムに光学的に記録するハードコピー装置に関するものである。
【０００２】
【従来の技術】
各種画像を記録する装置として、所謂ハードコピー装置が汎用されており、ビデオプリンタ、ＣＲＴハードコピー、プリンタ、プロッタ、ファクシミリ等が例として挙げられる。このうちＣＲＴハードコピーは、ＣＲＴディスプレイに表示される各原色画像の情報を担持した光を、銀塩フイルムに順次照射し重ね合わせ露光を行うことによりカラー画像として光学的に記録するものである。
【０００３】
前記写真記録画像の撮影の全操作が終了すると、オペレータは撮影済み銀塩フイルムを現像する。
ここで、現像された写真が明るすぎると、オペレータはハードコピー装置の手動設定手段により銀塩フイルムを照射する光の繰り返し数を減らし、再度画像撮影を行う必要がある。
【０００４】
一方、現像された写真が暗すぎると、オペレータは前記手動設定手段により銀塩フイルムを照射する光の繰り返し数を増やし、再度画像撮影を行う必要がある。
このように従来においては、銀塩フイルムを照射する光の繰り返し数は、オペレータが現像した写真を見ながら、その明るさが適正となるように調節していた。
【０００５】
【発明が解決しようとする課題】
しかしながら、前記従来の構成のハードコピー装置では、オペレータが現像した写真を見ながら、その明るさが適正となるように銀塩フイルムを照射する光の繰り返し数を調節していると言っても、単にオペレータが前記手動設定手段を調節するだけでは、銀塩フイルムを照射する光量のバラツキを補正しきれないという問題点があった。
【０００６】
すなわち、銀塩フイルムを照射する光量にバラツキが生じる原因としては、例えばＣＲＴディスプレイの輝度の変化、カラーフィルタを交換することによりその光の透過率が変化してしまうこと等が考えられる。
さらに、例えば人体の内部を内視鏡を用いて観察し、これを写真記録画像として記録する場合、観察する部位により内視鏡の光源により照射される光の量にバラツキがある。
【０００７】
すなわち、同じ胃でも内視鏡が観察部位から非常に離れた状態で上壁部を観察する場合と、内視鏡が観察部位に非常に近づいた状態で幽門部を観察する場合とでは、観察部位に照射される光の量が大きく異なる。
そして、観察部位に照射される光の量が大きく異なると、画像表示手段に表示される画像情報を担持した光の量も大きく異なってしまう。そのため、人体のどの部位を撮影するかにより、銀塩フイルムを照射する光の量にばらつきが生じてしまう場合がある。
【０００８】
このように銀塩フイルムを照射する光量のバラツキは、前述のように種々の原因が考えられるため、単にオペレータが前記手動設定手段を調節するだけでは、銀塩フイルムを照射する光量のバラツキを完全に補正しきれるものではなかった。  そのため、写真記録画像を銀塩フイルムに適正に記録することができる技術の開発が強く望まれていた。
【０００９】
このほか、たとえ銀塩フイルムを照射する光量のバラツキを補正することができたとしても、前述のように、オペレータが現像した写真を見ながら、その明るさが適正となるように銀塩フイルムを照射する光の繰り返し数を試行錯誤する方法では、画像撮影の操作を一時中断する必要がある。しかも、人手を煩わすこととなるため、より画像撮影を高速化、大量処理化、操作容易化することができる技術の開発が強く望まれていた。
【００１０】
本発明は、上記事情に鑑みなされたものであり、写真記録画像を銀塩フイルムに適正にしかも容易に記録することができるハードコピー装置を提供することを目的とするものである。
【００１１】
【課題を解決するための手段】
前記目的を達成するために本発明にかかるハードコピー装置は、映像信号発生手段と、画像表示手段と、カラーフィルタ手段と、撮影レンズ手段と、フイルム配設手段とを共通光軸上に配置し、さらに前記共通光軸上に配置された前記各手段の所定動作を制御する制御手段と、測光手段と、を備えたことを特徴とする。
【００１２】
前記映像信号発生手段は、カラー映像信号を色分解して赤、緑、青の原色画像に対応した各映像信号を順次発生する。
前記画像表示手段は、前記映像信号発生手段からの各映像信号の輝度情報に基づき、前記原色画像に対応した画像を順次表示する。
【００１３】
前記カラーフィルタ手段は、前記画像表示手段に表示される各画像に対応した色のフィルタを、各画像の表示切り替えタイミングと同期させて前記画像表示手段の前方に進入せしめる。
前記撮影レンズ手段は、前記画像表示手段からの各画像を銀塩フイルム面に結像させる。
【００１４】
前記フイルム配設手段は、前記画像表示手段からの画像情報が前記所定の色のフィルタを介して重ね合わせ露光される銀塩フイルムを所定位置に配設する。
前記測光手段は、前記銀塩フイルム面にて反射した前記画像表示手段からの画像情報を担持した光の量を測定する。
【００１５】
前記制御手段は、前記測光手段により測定された光量より、前記銀塩フイルムを照射する前記画像表示手段からの各画像情報を担持した光の量を求め、該求めた光の量に基づき、前記銀塩フイルム面を照射する各画像情報を担持した光の前記画像表示手段による表示繰り返し数を、前記銀塩フイルムの露量が適正値となるように算出し、該算出した表示繰り返し数だけ前記画像情報を担持した光の前記銀塩フイルムへの照射を許容する。
【００１６】
なお、前記ハードコピー装置において、前記制御手段は、前記測光手段により測定された光量より求めた、前記銀塩フイルムを照射する前記画像表示手段からの各画像情報を担持した光の量に加え、前記撮影レンズの明るさ情報と、前記銀塩フイルムの感度情報のうち、少なくとも何れかに基づき、銀塩フイルム面を照射する各画像情報を担持した光の前記画像表示手段による表示繰り返し数を、前記銀塩フイルムの露光量が適正値となるように算出することが好適である。
【００１７】
【発明の実施の形態】
以下、図面に基づき、本発明の好適な実施形態について説明する。
図１には、実施形態１にかかるハードコピー装置の概略構成が示されている。
【００１８】
同図に示すように実施形態１にかかるハードコピー装置１０は、映像信号出力部１２、信号選択部１４および発光制御回路１６よりなる映像信号発生手段と、モノクロのＣＲＴディスプレイ１８よりなる画像表示手段と、カラーホイール２０よりなるカラーフィルタ手段と、撮影レンズ２２と、シャッタ部２４と、フイルム巻き上げモータ２６よりなるフイルム配設手段と、中央制御ユニット２８よりなる制御手段と、受光部３０、積分回路３１およびＡ／Ｄ変換器３３よりなる測光手段と、を備える。
【００１９】
そして、映像信号出力部１２は、カラー映像信号を色分解した赤、緑、青の各原色画像信号３２，３４，３６を出力する。
信号選択部１４は、同期信号発生回路４５からの同期信号に基づき、映像信号出力部１２により出力された各原色画像信号３２，３４，３６を所定の順序で（例えば緑、青、赤…緑、青、赤）抽出し、これを発光制御回路１６に入力する。
【００２０】
発光制御回路１６は、信号選択部１４により例えば緑、青、赤の順序で抽出された各原色画像信号３２，３４，３６のモノクロＣＲＴディスプレイ１８への送信タイミングを微調整し、これをモノクロＣＲＴディスプレイ１８に入力する。これにより、モノクロＣＲＴディスプレイ１８に各原色画像信号３２，３４，３６を一定間隔で表示することができる。
【００２１】
モノクロＣＲＴディスプレイ１８は、発光制御回路１６により送信間隔が微調整された各原色画像信号３２，３４，３６の輝度信号に基づき、各原色画像信号３２，３４，３６に対応した画像を順次表示する。
カラーホイール２０は、図２に示すようにカラーホイール本体２０ａに赤、緑、青のカラーフィルタ３７，３９，４１が円形を３等分するように設けられたものである。
【００２２】
このカラーホイール２０の略中心部には、モータ４３の軸部４３ａが固定されている。これにより、軸部４３ａを介してモータ４３の回転が伝達されることによりカラーホイール２０が回転される。
また、このカラーホイール２０には、孔部２０ｂが設けられている。孔部２０ｂが設けられた円周上に、フォトインターラプタ４４の光源部と受光部（図示省略）がカラーホイール２０を間に挟んだ状態で対向配置される。
【００２３】
すなわち、このフォトインターラプタ４４は、その光軸上にカラーホイールの孔部２０ｂが位置するとき、その受光部が光源部からの光を受光することができるように設けられている。そして、フォトインターラプタ４４の受光部が、光源部からの光を所定の時間内に何回受光することができるかに基づき、カラーホイール２０の回転数が測定され、これは中央制御ユニット２８に入力される。
【００２４】
また、このフォトインターラプタ４４からの信号と同期信号発生回路４５からの同期信号とを相関させることにより、ハードコピー装置１０の光軸Ｘ上に現在カラーホイール２０のどの色のカラーフィルタ３７，３９，４１が位置しているのかを知ることができる。
撮影レンズ２２は、モノクロＣＲＴディスプレイ１８からの画像情報を担持した光を銀塩フイルム３８面に結像させる。
【００２５】
フイルム巻き上げモータ２６は、モノクロＣＲＴディスプレイ１８からの画像情報がカラーホイール２０を介して重ね合わせ露光される銀塩フイルム３８を所定位置に配設する。
測光手段は、前述のように受光部３０、積分回路３１およびＡ／Ｄ変換器３３を含み、銀塩フイルム３８面で反射したモノクロＣＲＴディスプレイ１８からの画像情報を担持した光の量を測定する。
【００２６】
中央制御ユニット２８には、ＣＰＵ４０と、ランダムアクセスメモリ（ＲＡＭ）４２よりなるパラメータ設定メモリとが搭載されている。
このＣＰＵ４０は、同期信号発生回路４５からの同期信号を利用してカラーホイール２０にモノクロＣＲＴディスプレイ１８の発光タイミングを同期させている。
【００２７】
すなわち、このＣＰＵ４０は、各構成部材が配置される共通光軸Ｘ上に緑のカラーフィルタ３９が位置するとき、緑の画像がモノクロＣＲＴディスプレイ１８に表示されるように、また光軸上に青のカラーフィルタ４１が位置するとき、青の画像が表示されるように、さらに光軸上に赤のカラーフィルタ３７が位置するときに赤の画像がモノクロＣＲＴディスプレイ１８に表示されるように、モノクロＣＲＴディスプレイ１８の表示タイミングを制御している。
【００２８】
中央制御ユニット２８は、キーボード４６、マウス４８等よりなる手動入力手段５０と、液晶ディスプレイ５２が電気的に接続されている。オペレータが、液晶ディスプレイ５２に表示される設定画面を見ながら前記手動入力手段５０より撮影レンズ２２の明るさ情報、銀塩フイルム３８の感度情報などを入力すると、これは中央制御ユニット２８のＣＰＵ４０に入力され、ＲＡＭ４２に記憶される。また、ＲＡＭ４２の設定内容は前記手動入力手段５０を用いて適宜変更することができる。
【００２９】
ＣＰＵ４０は、測光回路３０により測定された光の量より、銀塩フイルム３８を照射するモノクロＣＲＴディスプレイ１８からの各画像情報を担持した光量を算出する。
このＣＰＵ４０は、算出した光量情報、撮影レンズ２２の明るさ情報および銀塩フイルム３８の感度情報に基づき、銀塩フイルム３８を照射する各画像情報を担持した光の繰り返し数を、銀塩フイルム３８を露光する各原色画像を担持した光の量が適正値となるように算出する。
【００３０】
また、このＣＰＵ４０は、算出した画像情報の繰り返し数だけ画像情報を担持した光の銀塩フイルム３８への照射を許容する。
すなわち、このＣＰＵ４０は、手動入力手段５０より撮影開始を指示する撮影開始信号が入力されると、カメラ制御部５４を駆動してシャッタ２４を開かせる。そして、シャッタ２４が開いた状態で前記算出された画像情報の繰り返し数だけ画像情報を担持した光の銀塩フイルム３８への照射を許容すると、カメラ制御部５４を駆動してシャッタ２４を閉じさせる。
【００３１】
さらに、このＣＰＵ４０は、シャッタ２４が閉じたのを確認すると、カメラ制御部５４に銀塩フイルム３８の巻き上げを指示するフイルム巻き上げ信号を入力し、フイルム巻き上げモータ２６を駆動させることにより銀塩フイルム３８を１駒分巻き上げさせる。
【００３２】
実施形態１にかかるハードコピー装置１０は概略以上のように構成され、つぎにその作用について説明する。
図３には前記図１に示すハードコピー装置１０の作用を説明するためのフローチャートが示されている。
【００３３】
同図に示すように、まず、ハードコピー装置１０の電源を入れると、液晶ディスプレイ５２に設定画面が表示されるので、オペレータは液晶ディスプレイ５２に表示される設定画面を見ながら手動入力手段５０より露光補正量（Ｋ）を入力する。これはＣＰＵ４０に入力され、ＲＡＭ４２に記憶される（ｓ１０）。
すなわち、オペレータは設定画面において撮影レンズ２２の明るさ情報、銀塩フイルム３８の感度情報を入力することができる。
【００３４】
また、オペレータは銀塩フイルム３８の駒数（ｍ）を入力することができる。露光補正量（Ｋ）がＲＡＭ４２に記憶されると、ＣＰＵ４０は補正後の露光回数（ｎ＝Ｋ＊ｎ）を算出し、これを設定露光量とする（ｓ１２）。
ＣＰＵ４０により露光回数（ｎ＝Ｋ＊ｎ）が算出されると、手動入力手段５０より撮影開始を指示する撮影開始信号が入力されるまで、撮影をスタンバイ状態とする（ｓ１４）。
【００３５】
手動入力手段５０より撮影開始を指示する撮影開始信号が入力されると、同期信号発生回路４５は同期信号の発生を開始する（ｓ１６）。
同期信号が発生されると、ＣＰＵ４０はモータ４３を駆動してカラーホイール２０の回転を開始する（ｓ１８）。
【００３６】
カラーホイール２０の回転が開始されると、フォトインターラプター４４はカラーホイール２０の回転数を検出する。フォトインターラプター４４により検出されたカラーホイール２０の回転数が安定度しているかどうかを、ＣＰＵ４０は同期信号発生回路４５より発生される同期信号との比較により判定する（ｓ２０）。
【００３７】
フォトインターラプター４４により検出されるカラーホイール２０の回転数が安定するまで中央制御ユニット２８はシャッタ２４を開かせず時間待ちする。
フォトインターラプター４４により検出されるカラーホイール２０の回転数が安定したのをＣＰＵ４０が確認すると、カラーホイール２０のホームサーチを行う（ｓ２２）。
カラーホイール２０のホームサーチが終了すると、ＣＰＵ４０はカメラ制御部５４を駆動してシャッタ２４を開く（ｓ２４）。
【００３８】
シャッタ２４が開かれると、ＣＰＵ４０は測光回路３０を起動する（ｓ２６）。
測光回路３０が起動されると、信号選択部１４は、同期信号発生回路４５からの同期信号に基づき、モノクロＣＲＴディスプレイに表示されたときに光軸Ｘ上に位置することが予想されるカラーホイール２０のカラーフィルタ３７，３９，４１に同期させて、映像信号出力部１２よりカラー映像信号を分解した各原色画像信号３２、３４、３６を読み出す（ｓ２８）。
【００３９】
各原色画像信号３２，３４，３６が読み出されると、発光制御回路１６は、同期信号発生回路４５からの同期信号の入力タイミングに基づき、該原色画像信号３２，３４，３６をモノクロＣＲＴディスプレイ１８に送信し、原色画像信号３２，３４，３６に係る画像をモノクロＣＲＴディスプレイ１８により映出せしめる（ｓ３０）。
モノクロＣＲＴディスプレイ１８の映出による発光が為されると、ＣＰＵ４０は設定露光量と、測光手段により測定される測光量とを比較する（ｓ３２）。
【００４０】
ＣＰＵ４０は測光手段により測定される測光量が、設定露光量に達するまでモノクロＣＲＴディスプレイ１８の発光を繰り返す。
ＣＰＵ４０は、測光手段により測定された測光量が、設定露光量に達したのを確認すると、カメラ制御部５４を駆動してシャッタ２４を閉じさせる（ｓ３４）。
【００４１】
シャッタ２４が閉じられると、ＣＰＵ４０はカメラ制御部５４に信号を入力し、フイルム巻き上げモータ２６を駆動させ、これにより銀塩フイルム３８が１駒分巻き上げられる（ｓ３６），（ｓ３８）。
【００４２】
カウントが銀塩フイルム３８の駒数と一致するかどうかを判定する（ｓ４０）。カウントが銀塩フイルム３８の駒数より小さい場合は、前記画像撮影を繰り返す。  しかしながら、カウントが銀塩フイルム３８の駒数と一致したときは、ＣＰＵ４０はフイルム巻き上げモータ２６を駆動して銀塩フイルム３８を巻き戻す（ｓ４２）。
銀塩フイルム３８が巻き戻されると、前記画像撮影の全操作が終了する。
【００４３】
以上のように実施形態１にかかる装置によれば、中央制御ユニット２８のＣＰＵ４０が、測光回路３０により測定される光の量より銀塩フイルム３８を照射するモノクロＣＲＴディスプレイ１８からの各画像情報を担持した光の量を算出している。
【００４４】
このＣＰＵ４０は、算出した光量情報と、パラメータ設定メモリ４２に記憶されている撮影レンズ２２の明るさ情報と、銀塩フイルム３８の感度情報に基づき、銀塩フイルム３８を照射する各画像情報を担持した光の繰り返し数を、銀塩フイルム３８を露光する各原色画像を担持した光の量が適正値となるように算出している。
【００４５】
また、このＣＰＵ４０は、算出した画像情報の繰り返し数だけ画像情報を担持した光の銀塩フイルム３８への照射を許容することとしたので、銀塩フイルム３８を照射する光の量にバラツキがあっても、これを適正にしかも容易に補正することができる。
【００４６】
すなわち、実施形態１にかかる装置によれば、モノクロＣＲＴディスプレイ１８の輝度が変動してしまった場合、カラーホイール２０を交換することにより光透過率が変わってしまった場合、あるいは撮影画像により銀塩フイルム３８を照射する光の量にバラツキが生じてしまった場合であっても、これを適正にしかも容易に補正することができる。
【００４７】
なお、本発明は、前記構成に限定されるものではなく、発明の要旨の範囲内で種々の変形が可能である。
図４には他の実施形態にかかるハードコピー装置の概略構成が示されている。なお、前記図１と対応する部分には符号１００を加えて示し説明を省略する。
【００４８】
同図に示すハードコピー装置１１０は、撮影レンズ１２２の明るさ情報と銀塩フイルム１３８の感度情報が、リードオンリーメモリ（ＲＯＭ）１５６に予め記憶されている。
そして、図５に示すように装置１１０の電源を入れると、まず、中央制御ユニット１２８のＣＰＵ１４０がＲＯＭ１５６に適宜アクセスし、このＲＯＭ１５６に記憶されている撮影レンズ１２２の明るさ情報、銀塩フイルム１３８の感度情報が読み出される（ｓ１１３）。
【００４９】
実施形態２にかかるハードコピー装置１１０は、前記実施形態１にかかるハードコピー装置１０と同様、中央制御ユニット１２８が、測光回路１３０により測定された光量に基づき銀塩フイルム１３８を照射するモノクロＣＲＴディスプレイ１１８からの各画像情報を担持した光の量を算出している。
【００５０】
このＣＰＵ１４０は、算出した光量情報と、ＲＯＭ１５６より読み出した撮影レンズ１２２の明るさ情報と、銀塩フイルム１３８の感度情報に基づき、銀塩フイルム１３８を照射する各画像情報を担持した光の繰り返し数を、銀塩フイルム１３８を露光する各原色画像を担持した光の量が適正値となるように算出している。
【００５１】
その結果、実施形態２にかかるハードコピー装置１１０は、銀塩フイルム１３８を照射する光の量にバラツキがあっても、これを適正にしかも容易に補正することができる。
【００５２】
しかも、実施形態２にかかるハードコピー装置１１０は、前記実施形態１のように、オペレータが手動入力手段より撮影レンズ１２２の明るさ情報と、銀塩フイルム１３８の感度情報を入力するのではなく、中央制御ユニット１２８のＣＰＵ１４０がＲＯＭ１５６に記憶されている撮影レンズ１２２の明るさ情報と、銀塩フイルム１３８の感度情報を自動で読み出すため、前記第１実施形態と比較し、操作容易化、高速化等の向上が図られている。
【００５３】
このほか、前記構成では、撮影条件の設定画面において、オペレータが手動入力手段５０より銀塩フイルム３８の駒数（ｍ）を手動設定する場合について説明したが、これに限定されるものではなく、たとえばハードコピー装置１０の電源を入れると、カメラ制御部５４が銀塩フイルム３８の駒数（ｍ）を自動的に読みとることが可能である。
【００５４】
また、図６には本発明の他の実施形態にかかるハードコピー装置の画像表示手段およびカラーフィルタ手段の概略構成が示されている。
同図において、画像表示手段に、バックライトとして機能する光源５６と、モノクロ液晶ディスプレイ（ＬＣＤ）５８とを用いている。そして、モノクロ液晶ディスプレイ（ＬＣＤ）５８が光源５６からの光を通過するか遮断するかを、画像信号に係る該モノクロ液晶ディスプレイ（ＬＣＤ）５８に引加する電圧の変化に基づき制御している。
【００５５】
また、カラーフィルタ手段にカラー液晶ディスプレイ６０を用いている。このカラー液晶ディスプレイ６０は、その全面にモノクロ液晶ディスプレイ（ＬＣＤ）５８により表示される画像に係る原色画像信号３２，３４，３６と対応した色を現示している。
【００５６】
このように画像表示手段として、前記実施形態１，２に示すモノクロＣＲＴディスプレイ１８ではなく、光源５６とモノクロ液晶ディスプレイ５８を用い、さらにカラーフィルタ手段として、前記実施形態１，２に示すカラーホイール２０ではなく、カラー液晶ディスプレイ６０を用いても、前記実施形態１，２と同等の効果を奏することができる。
【００５７】
【発明の効果】
以上説明したように本発明にかかるハードコピー装置によれば、制御手段は、測光手段により測定された光量より銀塩フイルムを照射する画像表示手段からの各画像情報を担持した光の量を算出している。
この制御手段は、算出した光量情報に基づき、銀塩フイルムを照射する各画像情報を担持した光の繰り返し数を、銀塩フイルムを露光する各原色画像を担持した光の量が適正値となるように算出している。
そして、この制御手段は、算出した画像情報の繰り返し数だけ画像情報を担持した光の前記銀塩フイルムへの照射を許容することとしたので、たとえ銀塩フイルムを照射する光の量にバラツキがあっても、これを適正にしかも容易に補正することができる。
なお、前記制御手段は、前記測光手段により測定された光量より算出した、前記銀塩フイルムを照射する前記画像表示手段からの各画像情報を担持した光の量に加え、前記撮影レンズの明るさ情報と、前記銀塩フイルムの感度情報のうち、少なくとも何れかに基づき、銀塩フイルム面を照射する各画像情報を担持した光の画像表示手段による表示繰り返し数を、前記銀塩フイルムを露光する各画像を担持した光の量が適正値となるように算出することにより、銀塩フイルムを照射する光量にバラツキがあっても、これをより適正に補正することができる。
【図面の簡単な説明】
【図１】実施形態１にかかるハードコピー装置の概略構成を示すブロック図
【図２】前記図１に示す装置のカラーホイールの平面図
【図３】前記図１に示す装置の作用を示すフローチャート
【図４】実施形態２にかかるハードコピー装置の概略構成を示すブロック図
【図５】前記図４に示す装置の作用を示すフローチャート
【図６】実施形態３にかかるハードコピー装置の画像表示手段およびカラーフィルタ手段の概略構成図
【符号の説明】
１０    ハードコピー装置
１２    映像信号出力部（映像信号発生手段）
１４    信号選択部（映像信号発生手段）
１６    発光制御回路（映像信号発生手段）
１８    モノクロＣＲＴディスプレイ（画像表示手段）
２０    カラーホイール（カラーフィルタ手段）
２２    撮影レンズ（撮影レンズ手段）
２４    シャッタ（シャッタ手段）
２６    フイルム巻き上げモータ（フイルム配設手段）
３０    受光部（測光手段）
３１    積分回路（測光手段）
３３    Ａ／Ｄ変換器（測光手段）
４０    ＣＰＵ（制御手段）
【図１】
0003686735.tif 000002
【図２】
0003686735.tif 000003
【図３】
0003686735.tif 000004
【図４】
0003686735.tif 000005
【図５】
0003686735.tif 000006
【図６】
0003686735.tif 000007